(57)【要約】      （修正有）【課題】アドレス指定する面から作動および検知を行うバックプレーンを提供する。【解決手段】バックプレーンは、バックプレーンの出力面上に配列される出力端子のアレイと、それぞれが出力端子のうちの１つに対応する、ソリッドステートの光スイッチのアレイであって、ソリッドステートの光スイッチが制御波長の光に反応し、検知波長の光に対して透過性を有する、ソリッドステートの光スイッチのアレイとを含み、制御波長とは異なる検知波長の光に対して透過性を有する材料から成る。光学システムは、オプティカル・カプラのアレイを有するバックプレーンと、オプティカル・カプラが反応する制御波長の光を生成するプロジェクタと、制御光をバックプレーン上の前記オプティカル・カプラのアレイに誘導するための光学系と、検知波長の光に反応する画像形成システムと、を含み、このバックプレーンは、少なくとも部分的に前記検知波長に対して透過性を有する。【選択図】図７
2018190961.tif 000002
【特許請求の範囲】
【請求項１】
バックプレーンであって、
バックプレーンの出力面上に配列される出力端子のアレイと、
それぞれが前記出力端子のうちの１つに対応する、ソリッドステートの光スイッチのアレイであって、前記ソリッドステートの光スイッチが制御波長の光に反応し、前記制御波長とは異なる検知波長の光に対して透過性を有する、ソリッドステートの光スイッチのアレイと、
を含み、
前記バックプレーンは前記検知波長の光に対して透過性を有する領域を少なくとも有する材料から成る、
バックプレーン。
【請求項２】
前記光スイッチのうちの選択される光スイッチが、前記制御波長の光により作動すると、入力電圧が前記出力端子に連結するように、前記ソリッドステートの光スイッチのアレイに接続する前記入力電圧をさらに含む、請求項１に記載のバックプレーン。
【請求項３】
前記制御波長および前記検知波長が直交波長の光を含む、請求項１に記載のバックプレーン。
【請求項４】
前記制御波長がグリーン光を含み、前記検知波長が近赤外線光を含む、請求項３に記載のバックプレーン。
【請求項５】
前記バックプレーン面のうちの少なくとも１枚が、前記検知波長および前記制御波長での制御光反射率の誘電層で被覆される、請求項１に記載のバックプレーン。
【請求項６】
光学システムであって、
オプティカル・カプラのアレイを有するバックプレーンと、
前記オプティカル・カプラが反応する制御波長の光を生成するプロジェクタと、
前記制御光を、並べられる画像状のようにバックプレーン上の前記オプティカル・カプラの前記アレイに誘導するための光学系と、
検知波長の光に反応する画像形成システムと、
を含み
前記バックプレーンが、前記検知波長に対して透過性を有する領域を少なくとも有する、
光学システム。
【請求項７】
前記制御光と前記検知光を組み合わせる、または分離するために、前記プロジェクタからの前記光の経路内の少なくとも１つのダイクロイックミラーをさらに含む、請求項６に記載の光学システム。
【請求項８】
前記画像形成システムが、ビデオカメラを有する視覚システムを含む、請求項６に記載の光学システム。
【請求項９】
前記ダイクロイックミラーから反射される光を受け取るようビデオカメラが配列される、請求項７に記載の光学システム。
【請求項１０】
前記オプティカル・カプラが、前記検知波長の光に反応しない、請求項６に記載の光学システム。
【発明の詳細な説明】
【技術分野】
【０００１】
本開示は、オプティカル・カプラのアレイに関する、より具体的には、アクティブ・スイッチング・マトリクスを用いるオプティカル・カプラのアレイに関する。
【背景技術】
【０００２】
通常、アクティブ・マトリクス・アレイは、トランジスタのアレイから成り、数多くの電子素子へのアクセスを提供する。これらのアレイは、通常、液晶ディスプレイ（ＬＣＤ）や有機発光ダイオード（ＯＬＥＤ）ディスプレイなどの高密度発光素子をアドレス指定する。これらの光素子にアクセスするために用いるアクティブ・マトリクス・アレイは、平面パネルディスプレイを容易にするために薄くつくられている。アクティブ・マトリクスのアドレス指定は、高電圧で作動する電子素子も制御することができる。高電圧のアプリケーションには、通常、制御回路と出力回路の間に数種類の電気絶縁体が含まれる。
【発明の概要】
【課題を解決するための手段】
【０００３】
米国特許公報第２０１６／０３５１５８４号明細書に記載される従来のアプローチでは、システムがバックプレーンを一方の面からアドレス指定し、作動させ、作動の結果の検知は他方の面から行う。バックプレーンは、前方と後方で光のパターンが違う。しかし、状況によっては、アドレス指定する面から作動および検知を行う方が都合のいい場合もある。一実施形態は、バックプレーンの出力面上に配列された出力端子のアレイを有するバックプレーン、およびソリッドステートの光スイッチのアレイであって、各光スイッチは出力端子のうちの１つに対応し、ソリッドステートの光スイッチは制御波長の光に反応する、ソリッドステートの光スイッチのアレイから成り、バックプレーンは、制御波長とは異なる検知波長の光に対して透過性を有する材料から成る。
【０００４】
光学システムから成る別の実施形態は、オプティカル・カプラのアレイを有するバックプレーン、オプティカル・カプラが反応する制御波長の光を生成するプロジェクタ、制御光をバックプレーン上のオプティカル・カプラのアレイに誘導する光学系、検知波長の光に反応する画像形成システムを含み、バックプレーンは検知波長に対して少なくとも部分的に透過性を有する。
【図面の簡単な説明】
【０００５】
【図１】図１は、チップレット・ソーティング・システム内のオプティカル・カプラの実施形態を示す図である。
【図２】図２は、バックプレーン内の感光性素子の実施形態を示す図である。
【図３】図３は、バックプレーン内の感光性素子の別の実施形態を示す図である。
【図４】図４は、ＯｐｔｏＣＡＭ装置を通して撮影された写真のグラフである。
【図５】図５は、ＯｐｔｏＣＡＭ装置を通して撮影された写真のグラフである。
【図６】図６は、あるフォトトランジスタに関する電流−電圧曲線のグラフである。
【図７】図７は、２つの異なる光の波長を用いる光学アクティブ・マトリクス・バックプレーンを用いる光学システムの図である。
【発明を実施するための形態】
【０００６】
米国特許公報第２０１６／０３５１５８４（‘５８４）号明細書には、薄膜のオプティカル・カプラを有するアクティブ・マトリクスのバックプレーンが開示される。オプティカル・カプラ、すなわちフォトトランジスタにより、高電圧の入力を低い電圧の制御システムから絶縁させることができる。高電圧の出力により、マイクロ機械システム（ＭＥＭＳ）装置および液晶ディスプレイのような駆動タイプのディスプレイなどの様々なアプリケーションの使用が可能となる。
【０００７】
本明細書で用いられる用語オプティカル・カプラすなわちフォトトランジスタとは、光に当てられるとスイッチを作動させる電圧を生成する感光性材料の領域を有する光スイッチのことをいう。ディスプレイなどのピクセル化された光源が、その光源の個々の光を作動させると、バックプレーン上の対応するスイッチを作動させて、スイッチに高電圧入力を出力させる。これにより、ピクセル化された光源の反対側の面の反対側のバックプレーンの面上にパターンを形成する能力が提供される。
【０００８】
図１には、そのようなアプリケーションの一例が示されている。オプト・カプラ・アクティブ・マトリクス１２すなわちＯｐｔｏＣＡＭは、光源を有しその面上にパターンを生成し、チップレット１３などのランダムに並んだチップレットを取り出し、それらが基板１６に付着する前に順番に並べる。フィードバックを提供するために用いるある技術ではビデオカメラなどの視覚システムを用いる。このカメラは、位置１８、位置２０、および位置２２で示されるいくつかの位置のうちのいくつかの位置を撮影することができる。
【０００９】
通常透明ではない転写機構１４の真下のチップレットは位置１８からは見えない。位置２０からはチップレットの良好な被写域が有効であるが、若干角度が斜めなので、画質が良くない。ＯｐｔｏＣＡＭバックプレーンが視野をブロックしなければ、位置２２により最も正確な画像を撮影するための、最高の位置が提供される。
【００１０】
‘５８４出願では、ＯｐｔｏＣＡＭバックプレーンは透明でよいことが議論されている。しかし、それは論理的に不可能となる。例えば、図１に示されるアプリケーションでは、画像形成システムに照明を提供するために用いる光が、バックプレーン内の光スイッチを作動させ、そのパターンを変える。この問題は、図１の画像形成システムなど、何らかの目的で光を使うどのシステムにも発生する。
【００１１】
本明細書の実施形態では、スイッチを作動させるために用いる制御光と画像形成光または検知光（画像形成と検知の両方、またはどちらか一方、あるいはその他と共に検知光と本明細書では呼ばれる）を分離する。本明細書のアプローチでは、波長によりこれを行う。スイッチ内の材料は検知光の波長では透過性を有する材料で構成される。検知光の波長と輝度により、フォトトランジスタ内に特定の最小フォト電流が誘導されないものとする。大抵の場合、半導体は禁制帯を有し（結晶性半導体などの、または非結晶半導体などの状態エネルギー範囲の低密度（これも禁制帯と見なされる））。この禁制帯より高いエネルギーを有する入射光は強く吸収され、禁制帯より低いエネルギーを有する光は弱く吸収され、著しい密度の自由担体を生成する。したがって、制御照明は一般に禁制帯エネルギーより高いエネルギーを有し、検知照明は一般に禁制帯エネルギーより低いエネルギーを有する。
【００１２】
図２および図３には、光スイッチの実施形態が示されている。どちらの場合でも、電極、接地面、および高電圧は、通常の金属の代わりにインジウム錫酸化物（ＩＴＯ）から成る。図２には、ソース３２およびドレイン３４を有する素子３０が示されている。感光性材料３６は制御光の波長の光に反応するが、検知光波長の光には反応しない。この実施形態では、ソース、ドレインの材料、および層３８はＩＴＯから成り、層４０、および感光性材料３６とドレイン３４の間の小さな領域４２は、酸化物の誘電体または窒化物誘電体から成る。一実施形態では、感光性材料は非結晶のシリコンから成る。
【００１３】
図３では、フォトトランジスタは６層しか使っていない。感光性コンポーネント５６は２０００オングストロームの厚い層から成る（可能性としては、アモルファスシリコン）。層５８および５９はインジウム錫酸化物から成る。一実施形態では、層５８は、厚さ１０００オングストロームを有し得、層５９は５００オングストロームの厚さを有し得る。ソース５２はＩＴＯの５００オングストロームの厚さを有し得、ドレイン５４は層５８の底面の層である。
【００１４】
図２および図３の実施形態に関して、ＩＴＯの例では、検知光は近赤外線（ＮＩＲ）範囲である、約７８０ナノメートルの波長を有する。この波長では、ＯｐｔｏＣＡＭが、効果的に透過性を有する。図４および図５には、ＯｐｔｏＣＡＭ装置で撮影された異なる画像が示される。図４には、中心の感光性領域を示す、可視光の写真が示される。図５には、ＮＩＲ波長でＯｐｔｏＣＡＭ装置を介してグラフにされた、１枚の紙の写真の上に引かれた線が示されている。
【００１５】
図６には、あるフォトトランジスタの暗い状況とＩＲ光であふれている場合（ＩＲ光はＮＩＲを含む）の比較を示す、電流−電圧（ＩＶ）曲線が示されている。装置がＩＲ光であふれている場合でも、１００より大きなオン／オフ割合が実現した。これらの曲線は、赤外線７０、赤外線７２、ホワイト光曲線７４および７６と重なるＩＲプラスホワイト曲線（ホワイト光およびＩＲプラスホワイト光を示す）、ダークを示す曲線７８および８０ダークとなる。これらの曲線を生成するために用いられる制御光は、通常のＬＣＤパネルにより提供される可視ホワイト光であり、検知光はＩＲである。この実施形態では、「ＯＮ」とは制御光がＯＮであることを意味し、「ＯＦＦ」とは、ダーク（光が当たっていない）、またはＩＲであることを意味する。８８０ナノメートル光などのより長いＮＩＲ波長を用いて、オン／オフ割合（同じ電圧での電流割合）をより高い値に改善する。
【００１６】
一実施形態では、ＯｐｔｏＣＡＭは検知光を連続して受け取る。この場合、検知光はＮＩＲ範囲内であり、制御光はホワイトまたはグリーンでよい。別の実施形態では、ＯｐｔｏＣＡＭは、光検知光の複数の波長および／または制御光の複数の波長に対して透過性を有し得る。
【００１７】
図７には光学システム９０が示されている。このシステムは、突起光学系９４を有するプロジェクタ９２含む。このプロジェクタは、ＬＣＤセル、ＬＥＤなどのアレイなどの発光素子のアレイから成り得る。ＬＣＤセルのアレイはディスプレイパネルでよい。制御経路には、ダイクロイックミラー９６およびその他の光学構成部品９８が含まれる。制御光９３、並べられたフォトトランジスタのアレイに誘導される、画像状のものでＯｐｔｏＣＡＭ１００のフォトトランジスタのオン／オフを制御する。この検知光１０３はチップで反射し、次いで、ダイクロイックフィルタに反射してビデオカメラ１０２のレンズに入射する。これらの光学構成部品には、ビデオカメラ経路に漏れた制御光を全てブロックするロング・パス・エッジ・フィルタも含まれる。そのビデオカメラ経路は経路１０４で示されている。一実施形態では、ダイクロイックミラー９６で検知光を取り込み、次いで、組立て対象物に反射させ、ビデオカメラに集めることも可能である。
【００１８】
様々な修正形態が存在し得る。例えば、本実施形態では、制御し光をアドレス指定するために短い波長を用い、検知光として長い波長を用いることを前提としている。しかし、制御光が半導体に吸収され、検知光が吸収されない限り、いかなるセットの直交波長使用可能である。「直交波長」は重ならないため、制御するための波長と検知するための波長は重ならない。制御光内の全ての波長に関して、検知するための振幅はゼロである。例えば、制御光はレッドまたはブルーの範囲の波長を有し得、検知光はグリーンまたはＮＩＲの範囲の波長を有する。明確な通過帯域を有するミラーおよびフィルタは円熟した技術であり、設計者は異なる要求事項を満たすようシステムを構成することができる。
【００１９】
さらに、使用される材料を修正することができる。例えば、有機半導体ＩｎＧａＺｎＯなどの無機酸化物ベースの半導体、またはＧａＰ（ガリウムりん）のような結晶性半導体とフォトトランジスタ半導体を交換することができる。ＩＴＯ層を酸化亜鉛（ＺｎＯ）、炭素ナノチューブ（ＣＮＴ）ネットワークなどと交換することができる。
【００２０】
さらに、材料を選択することができ、これらのアレイの異なる領域、異なる領域内の異なる材料から製造可能である、あるいは、使用される材料が異なる透明フィルム特性を有し、ＯｐｔｏＣＡＭのバックプレーンに関する透明フィルムの範囲を実現する。例えば、ディバイス領域の５０％未満、バックプレーンまたはディバイス領域の３０％未満、あるいはディバイス領域の１０％を占める検知光に対して不透明な材料を用いてＯｐｔｏＣＡＭを構築することができる。ＯｐｔｏＣＡＭに検知光に対して不透明でない材料を使用すると、効果的かつ完全に検知光に対して透過性を有する装置となる。一実施形態では、１つ以上のバックプレーン面が、検知波長および制御波長での制御光反射率の誘電層で被覆される。
【００２１】
このようにＯｐｔｏＣＡＭバックプレーンの柔軟性により、検知光から制御光を分離する能力が高くなる。配置するためにより多くのオプションを有する視覚システム、およびその他の照明や画像形成アプリケーションを試用することができる。
【図１】
2018190961.tif 000003
【図２】
2018190961.tif 000004
【図３】
2018190961.tif 000005
【図４】
2018190961.tif 000006
【図５】
2018190961.tif 000007
【図６】
2018190961.tif 000008
【図７】
2018190961.tif 000009